(57)【要約】【課題】  互いに連結される各テーブルの天板の高さ調節を容易かつ確実に行う。【解決手段】  第１テーブル１における天板２を支持する支持体４が設けられた側の側部と、第１テーブル１に隣接する第２テーブル１１における天板１２を支持する支持体が設けられていない側の側部とを、第１テーブル１の天板２に対して、第２テーブル１１の天板１２の高さを調節可能な連結装置２０により連結する。【選択図】        図２
2005245778.tif 000002
【特許請求の範囲】
【請求項１】
第１テーブルにおける天板を支持する支持体が設けられた側の側部と、前記第１テーブルに隣接する第２テーブルにおける天板を支持する支持体が設けられていない側の側部とを、前記第１テーブルの天板に対して、前記第２テーブルの天板の高さを調節可能な連結装置により連結したことを特徴とする連結テーブル。
【請求項２】
連結装置は、第１テーブルの側部に設けられ、天板及び支持体より側方へ突出する第１ブラケットと、第２テーブルに設けられ、前記第１ブラケット上に上下方向へ移動可能に連結される第２ブラケットと、前記第２テーブルの天板の高さを、前記第２ブラケットを介して調節可能な高さ調節手段とを有することを特徴とする請求項１記載の連結テーブル。
【請求項３】
前記第１ブラケットは、ほぼ水平方向を向く基部と、該基部の両側に設けられる１対の上向片とを有し、前記第２ブラケットは、前記第１ブラケットの基部に対して上側に位置するほぼ水平方向を向く基部と、該基部の両側に設けられ、前記第１ブラケットの１対の上向片に対して、上下方向へ移動可能で、かつ側方へ移動不能に嵌合可能な１対の下向片とを有することを特徴とする請求項２記載の連結テーブル。
【請求項４】
高さ調節手段は、第１ブラケットまたは第２ブラケットの一方の基部における第１テーブルの支持体より側方へ突出する位置に設けられるねじ孔と、該ねじ孔に螺合し、上下方向へ移動可能な調節ねじとを有し、該調節ねじの先端部を、前記第１ブラケットまたは前記第２ブラケットの他方の基部に当接させることにより、第１テーブルの天板に対して、第２テーブルの天板の高さを、前記第２ブラケットを介して調節可能としたことを特徴とする請求項３記載の連結テーブル。
【請求項５】
第１ブラケットの１対の上向片または第２ブラケットの１対の下向片の一方に上下方向の長孔、他方に該長孔に対向するねじ孔をそれぞれ設けるとともに、側方を向く固定ねじを、前記長孔に挿通した後、前記ねじ孔に螺合して締結することにより、前記第２ブラケットを前記第１ブラケットに対して固定するようにしたことを特徴とする請求項３または４記載の連結テーブル。
【請求項６】
第１テーブルまたは第２テーブルの天板を、支持体により支持される枠体の上面に水平方向へ移動可能に保持するとともに、第１ブラケットまたは第２ブラケットを前記それぞれの枠体に設けたことを特徴とする請求項２〜５のいずれかに記載の連結テーブル。
【発明の詳細な説明】
【技術分野】
【０００１】
本発明は、左右または前後に隣接するテーブル同士を連結して使用される連結テーブルに関する。
【背景技術】
【０００２】
従来、上述のような連結テーブルにおいて、互いに隣接するテーブルの脚柱同士を連結金具をもって連結するようにしたものがある（例えば、特許文献１参照）。
【特許文献１】特開２０００−２４５５５３号公報
【発明の開示】
【発明が解決しようとする課題】
【０００３】
しかし、上述のような従来の連結テーブルにおいては、互いに連結するテーブルの天板同士の高さを同一にするには、各脚柱の下端に設けた高さ調節用のアジャスターを用いて調節されるが、この調節作業は個々のアジャスターを調節しなければならず極めて面倒である。
【０００４】
本発明は、従来の技術が有する上記のような問題点に鑑み、互いに連結される各テーブルの天板の高さ調節を容易かつ確実に行うことができるようにした連結テーブルを提供することを目的としている。
【課題を解決するための手段】
【０００５】
本発明によると、上記課題は、次のようにして解決される。
（１）第１テーブルにおける天板を支持する支持体が設けられた側の側部と、前記第１テーブルに隣接する第２テーブルにおける天板を支持する支持体が設けられていない側の側部とを、前記第１テーブルの天板に対して、前記第２テーブルの天板の高さを調節可能な連結装置により連結する。
【０００６】
（２）上記(１)項において、連結装置は、第１テーブルの側部に設けられ、天板及び支持体より側方へ突出する第１ブラケットと、第２テーブルに設けられ、前記第１ブラケット上に上下方向へ移動可能に連結される第２ブラケットと、前記第２テーブルの天板の高さを、前記第２ブラケットを介して調節可能な高さ調節手段とを有する。
【０００７】
（３）上記(２)項において、前記第１ブラケットは、ほぼ水平方向を向く基部と、該基部の両側に設けられる１対の上向片とを有し、前記第２ブラケットは、前記第１ブラケットの基部に対して上側に位置するほぼ水平方向を向く基部と、該基部の両側に設けられ、前記第１ブラケットの１対の上向片に対して、上下方向へ移動可能で、かつ側方へ移動不能に嵌合可能な１対の下向片とを有する。
【０００８】
（４）上記(３)項において、高さ調節手段は、第１ブラケットまたは第２ブラケットの一方の基部における第１テーブルの支持体より側方へ突出する位置に設けられるねじ孔と、該ねじ孔に螺合し、上下方向へ移動可能な調節ねじとを有し、該調節ねじの先端部を、前記第１ブラケットまたは前記第２ブラケットの他方の基部に当接させることにより、第１テーブルの天板に対して、第２テーブルの天板の高さを、前記第２ブラケットを介して調節可能とする。
【０００９】
（５）上記(３)または(４)項において、第１ブラケットの１対の上向片または第２ブラケットの１対の下向片の一方に上下方向の長孔、他方に該長孔に対向するねじ孔をそれぞれ設けるとともに、側方を向く固定ねじを、前記長孔に挿通した後、前記ねじ孔に螺合して締結することにより、前記第２ブラケットを前記第１ブラケットに対して固定する。
【００１０】
（６）上記(２)〜(５)項のいずれかにおいて、第１テーブルまたは第２テーブルの天板を、支持体により支持される枠体の上面に水平方向へ移動可能に保持するとともに、第１ブラケットまたは第２ブラケットを前記それぞれの枠体に設ける。
【発明の効果】
【００１１】
本発明によると、次のような効果を奏することができる。
（ａ）請求項１記載の発明によると、第１テーブルにおける天板を支持する支持体が設けられた側の側部と、第１テーブルに隣接する第２テーブルにおける天板を支持する支持体が設けられていない側の側部とを、高さ調節可能な連結装置により連結することにより、第１テーブルの天板に対して、第２テーブルの天板の高さを簡単かつ確実に調節することができる。
【００１２】
（ｂ）請求項２記載の発明によると、第１ブラケットと第２ブラケットとを連結することにより、第１テーブルと第２テーブルとを簡単に連結することができる。また、連結装置に高さ調節手段を設けたことにより、第１テーブルと第２テーブルとの連結及び高さ調節作業を同時に行うことができ、作業性の向上を図ることができる。
【００１３】
（ｃ）請求項３記載の発明によると、第１ブラケットと第２ブラケットとが側方へ移動不能に嵌合することにより、第１テーブルに対して、第２テーブルの位置決めを容易に行うことができ、第１ブラケットと第２ブラケットとの連結を簡単に行うことが可能となる。
【００１４】
（ｄ）請求項４記載の発明によると、調節ねじを回転させるだけの簡単な作業により、第２テーブルの天板の高さを確実に調節することができる。また、ねじ孔を第１ブラケットの基部に設けた場合には、調節ねじの調節作業を、支持体及び天板に邪魔されることなく容易に行うことができる。さらには、調節ねじが露出することがないので、見栄えの向上を図ることができる。
【００１５】
（ｅ）請求項５記載の発明によると、固定ねじをもって、第２ブラケットを第１ブラケットに対して固定することにより、第２テーブルの天板を調節位置に確実に固定することができる。
【００１６】
（ｆ）請求項６記載の発明によると、第１テーブルまたは第２テーブルの天板の剛性が枠体により確保される。また、第１テーブルまたは第２テーブルの天板を枠体の上面に保持させることにより、各天板を独立してスライドさせることができる。したがって、第１テーブルまたは第２テーブルの天板の後方へ配線用の空間を設けたものであっても、各天板を単独でスライドさせて、配線を容易に行うことができる。
【発明を実施するための最良の形態】
【００１７】
以下、本発明の一実施形態を図１〜図６に基づいて説明する。図１は、本発明の一実施形態を適用した連結テーブルの正面図、図２は、連結テーブルの分解斜視図、図３は、要部の拡大縦断面図、図４は、連結装置の分解斜視図、図５は、連結装置の平面図、図６は、図５におけるVI−VI線に沿う縦断面図である。なお、以下の説明では、図１における紙面手前側、及び図２における右斜め下方を「前方」とし、図１における紙面裏側、及び図２における左斜め上方を「後方」とする。
【００１８】
図１に示すように、連結テーブルは、互いに隣接する左右のテーブルのうち左側の第１テーブル(１)の右側部に、前後の連結装置(20)をもって、右側の第２テーブル(11)の左側部が連結されることにより形成される。
【００１９】
図２に示すように、第１テーブル(１)は、左右方向に長い平面視矩形の天板(２)の下方に前後方向及び左右方向の寸法を天板(２)より小とした平面視矩形の枠体(３)を有する。この枠体(３)は、右側の支持体をなす袖箱(４)と左側の支持体をなす前後１対の脚(５)(５)により床面より所要高さにほぼ水平に支持され、その上面に、天板(２)がほぼ水平に取り付けられている。枠体(３)の上面に天板(２)を取り付けることにより、天板(２)の剛性が確保される。
【００２０】
なお、本実施形態においては、第１テーブル(１)の天板(２)を、枠体(３)を介して、袖箱(４)及び脚(５)により支持するようにしているが、これに代えて、枠体(３)を省略して、袖箱(４)及び脚(５)により直接支持するようにしても良いし、また、袖箱(４)を脚(５)に変更しても良い。
【００２１】
第２テーブル(11)は、第１テーブル(１)と同様に、左右方向に長い平面視矩形の天板(12)の下方に前後方向及び左右方向の寸法を天板(12)より小とした平面視矩形の枠体(13)を有する。
【００２２】
枠体(13)は、右側が支持体をなす袖箱(14)により床面に支持され、支持体が設けられていない左側が、連結装置(20)により、第１テーブル(１)の枠体(３)の右側部に連結されるとともに、その上面に、天板(12)が取り付けられる。これにより、第２テーブル(11)の天板(12)は、枠体(13)により剛性が確保されるとともに、第２テーブル(11)の天板(12)の高さを、第１テーブル(１)の天板(２)の高さに対して調節することができる。
【００２３】
なお、本実施形態においては、第２テーブル(11)の天板(12)の右側を、枠体(13)を介して、袖箱(14)により支持するようにしているが、これに代えて、枠体(13)を省略して、天板(12)を袖箱(14)に直接固定するようにしても良いし、また、袖箱(14)に代えて、脚としても良い。
【００２４】
上述のように、第１テーブル(１)における天板(２)を支持する支持体をなす袖箱(４)が設けられた右側部と、第１テーブル(１)に隣接する第２テーブル(11)における天板(12)を支持する支持体が設けられていない左側部とを、第１テーブル(１)の天板(２)に対して、第２テーブル(11)の天板(12)の高さを調節可能な連結装置(20)により連結される。
【００２５】
第１テーブル(１)の枠体(３)は、前後方向を向く左右１対の角管製の枠杆(3a)(3a)の前端部同士及び後端部同士を、左右方向を向く前後１対の角管製の枠杆(3b)をもって互いに溶接して連結することによって形成されている。また、第２テーブル(11)の枠体(13)も、第１テーブル(１)の枠体(３)と同様に、左右１対の枠杆(13a)及び前後１対の枠杆(13b)により形成される。
【００２６】
各枠杆(3a)(3a)(13a)(13a)の上面には、円形孔(6a)の後部に後方を向く長孔(6b)が連設された前後２個ずつのだるま孔(６)が、前後方向に所定の間隔を置いて穿設されている。
【００２７】
第１テーブル(１)の枠体(３)における左側部の前後の角部には、脚(５)が連結される脚連結用のコーナー部材(７)(７)が固定され、また、同じく右側部の前後の角部には、脚非連結用のコーナー部材(８)(８)が固定されている。また、第２テーブル(11)の枠体(13)における左側部及び右側部の前後の角部にも、脚非連結用のコーナー部材(８)が固定されている。
【００２８】
第１テーブル(１)及び第２テーブル(11)の各天板(２)(12)のそれぞれの左右両側近傍の下面には、各だるま孔(６)に対向するグロメット(９)が図示略のねじをもってそれぞれ支着されている。
【００２９】
各天板(２)(12)は、各グロメット(９)をそれぞれに対応する各だるま孔(６)の円形孔(6a)に嵌合した後、各天板(２)(12)を後方へスライドさせて、グロメット(９)の下端部に設けられた図示略の拡径部を長孔(6b)内に嵌合して、長孔(6b)の後端に当接させることにより、各枠体(３)(13)における上面の定位置に保持されるとともに、必要に応じて定位置から前方へスライドさせることが可能となっている。
【００３０】
このように各天板(２)(12)を、各枠体(３)(13)の上面に前後方向、すなわち水平方向へスライド可能に保持することにより、天板(２)(12)及び枠体(３)(13)の後方に、配線用の空間を形成した場合、各天板(２)(12)を定位置から前方へスライドさせることにより配線作業を容易に行なうことが可能となる。また、第１テーブル(１)と第２テーブル(11)とは、後述のように連結装置(20)により枠体(３)(13)同士が連結されるため、各天板(２)(12)をそれぞれ独立して前後方向へ移動させることができる。
【００３１】
第１テーブル(１)の枠体(３)に固定されるコーナー部材(８)の右側面には、連結装置(20)の一部を形成する鋼板製の第１ブラケット(21)が左方を向くねじ(22)をもって固定される。また、第２テーブル(11)におけるコーナー部材(８)の左側面には、連結装置(20)の他の一部を形成する第２ブラケット(23)が右方を向くねじ(24)をもって固定される。
【００３２】
第１ブラケット(21)は、主に図４及び図５に示すように、第１テーブル(１)の天板(２)及び袖箱(４)より側方へ突出するとともに、コーナー部材(８)にねじ(22)をもって固定される取付片(21a)と、取付片(21a)の下端から右方に延出されたほぼ水平な基部(21b)と、基部(21b)の前後両側に設けられる前後１対の上向片(21c)とを有して、ほぼ上向きコ字状に形成される。基部(21b)には、上下方向を向く調節ねじ(25)が螺合される上下方向に貫通したねじ孔(21d)が穿設されている。また、前後１対の上向片(21c)には、第２ブラケット(23)を第１ブラケット(21)に対して固定するための前後方向を向く固定ねじ(26)(26)が挿入される上下方向に長寸の長孔(21e)が穿設されている。
【００３３】
なお、本発明の実施形態に係わる高さ調整手段は、調節ねじ(25)とねじ孔(21d)とにより形成されるが、これに特定されるものでなく、他の構成であっても良い。
【００３４】
ねじ孔(21d)は、第１テーブル(１)の天板(２)及び袖箱(４)より側方へ外れた位置に設けられる。これにより、調節ねじ(25)が袖箱(４)により遮られることがなくなり、後述のように、第２テーブル(11)の天板(12)の高さを調節する場合に、調節ねじ(25)の調節作業を容易に行うことができる。
【００３５】
第２ブラケット(23)は、主に図４及び図５に示すように、コーナー部材(８)の左側面にねじ(24)をもって固定される取付片(23a)と、取付片(23a)の上端から左方に向けて延出するほぼ水平な基部(23b)と、基部(23b)の前後両側に設けられる前後１対の下向片(23c)とを有して、ほぼ下向きコ字状に形成される。
【００３６】
前後１対の下向片(23c)には、固定ねじ(26)が螺合されるねじ孔(23d)が穿設されている。なお、本実施形態においては、ねじ孔(23d)は、下向き片(23c)に溶着されるナットにより形成される。
【００３７】
第２ブラケット(23)の前後の下向片(23d)は、第１ブラケット(21)の前後の上向片(21c)(21c)間に、上下方向へ移動可能で、かつ側方（前後方向）へ移動不能に嵌合されるとともに、第１ブラケット(21)の基部(21b)上に載置される。
【００３８】
第１テーブル(１)と第２テーブル(11)とは、次のようにして連結される。第１ブラケット(21)及び第２ブラケット(23)を、それぞれの枠体(３)(13)の側部に固定した状態で、第１ブラケット(21)の前後の上向片(21c)(21c)間に、第２ブラケット(23)の下向片(23c)を嵌合するとともに、第２ブラケット(23)を第１ブラケット(21)の基部(21b)上に載置する。これにより、第１テーブル(１)に対して、第２テーブル(11)の位置決めを容易に行うことができ、第１ブラケット(21)と第２ブラケット(23)との連結を簡単に行うことが可能となる。
【００３９】
次いで、固定ねじ(26)を、第１ブラケット(21)の長孔(21e)に挿通して、第２ブラケット(23)のねじ孔(23d)に緩めに螺合して、第２ブラケット(23)を第１ブラケット(21)に仮止めする。この状態で、第２テーブル(11)の天板(12)の下方から、ドライバー、六角レンチ等の工具を用いて、ねじ孔(21d)に螺合された調節ねじ(25)を所定の方向へ回す。これにより、調節ねじ(25)が上方へ移動して、調節ねじ(25)の上端部が、第２ブラケット(23)の基部(23b)の下面に当接して第２ブラケット(23)を押し上げ、第２テーブル(11)の天板(12)の高さを調節することができる。この場合、調節ねじ(25)が袖箱(４)より側方へ外れた位置に配置されているので、調節ねじ(25)を袖箱(４)に邪魔されることなく容易に回すことができる。また、調節ねじ(25)は、第１ブラケット(21)の上向片(21c)と第２ブラケット(23)の下向片(23c)とにより隠蔽されて、第１ブラケット(21)と第２ブラケット(23)から露出することがないので、見栄えも良い。なお、第２テーブル(11)の天板(12)の高さを下げるは、調節ねじ(25)を前記所定の方向と反対方向へ回す。
【００４０】
第２テーブル(11)の天板(12)の高さ調節した後は、固定ねじ(26)を締め付けることにより、第２テーブル(11)の天板(12)は、上下動することなく、第１テーブル(１)に対して固定される。
【００４１】
図７は、本発明の他の実施形態を示す要部の概略正面図である。この他の実施形態は、第１テーブル(１)の右側は、支持体をなす前後１対の脚(4a)により床面に支持される。また、第２テーブル(11)に設けられる第２ブラケット(27)は、第２テーブル(11)における天板(12)の左下面に直接固定される。この他の実施形態においても、前記実施形態と同様に、第１テーブル(１)の枠体(３)に設けられる第１ブラケット(28)に上下方向へ移動可能に螺合された調節ねじ(25)をもって、第２テーブル(11)の天板(12)の高さを、第１テーブル(１)の天板(２)の高さに対して簡単かつ確実に調節することができる。
【００４２】
以上、本発明の実施形態について説明したが、本発明の要旨を逸脱しない範囲内で、上記実施形態に下記のような種々の変形や変更を施すことが可能である。
【００４３】
調節ねじ(25)が螺合するねじ孔(21d)を、第２ブラケット(23)の基部(23b)に設け、調節ねじ(25)の下端部を第１ブラケット(21)の基部(21b)の上面に当接させるようにする。この場合には、第２テーブル(11)の天板(12)に、調節ねじ(25)を回すための工具が挿入される作業孔を設け、この作業孔を介して、調節ねじ(25)を回して、調節ねじ(25)の下端部を第２ブラケット(23)の基部(23b)の上面に当接させることにより、第２テーブル(11)の天板(12)の高さを調節することができる。作業孔は、高さ調節完了後、蓋体等により隠蔽される。
【図面の簡単な説明】
【００４４】
【図１】本発明の一実施形態を適用した連結テーブルの正面図である。
【図２】同じく、連結テーブルの分解斜視図である。
【図３】同じく、要部の拡大縦断面図である。
【図４】同じく、連結装置の分解斜視図である。
【図５】同じく、連結装置の平面図である。
【図６】図５におけるVI−VI線に沿う縦断面図である。
【図７】本発明の他の実施形態を適用した連結テーブルの要部の概略正面図である。
【符号の説明】
【００４５】
(１)第１テーブル
(２)天板
(３)枠体
(3a)(3b)枠杆
(４)袖箱（支持体）
(4a)脚（支持体）
(５)脚（支持体）
(６)だるま孔
(6a)円形孔
(6b)長孔
(７)(８)コーナー部材
(９)グロメット
(11)第２テーブル
(12)天板
(13)枠体
(13a)(13b)枠杆
(14)袖箱（支持体）
(20)連結装置
(21)第１ブラケット
(21a)取付片
(21b)基部
(21c)上向片
(21d)ねじ孔（高さ調節手段）
(21e)長孔
(22)ねじ
(23)第２ブラケット
(23a)取付片
(23b)基部
(23c)下向片
(23d)ねじ孔
(24)ねじ
(25)調節ねじ（高さ調節手段）
(26)固定ねじ
(27)第２ブラケット
(28)第１ブラケット
【図１】
2005245778.tif 000003
【図２】
2005245778.tif 000004
【図３】
2005245778.tif 000005
【図４】
2005245778.tif 000006
【図５】
2005245778.tif 000007
【図６】
2005245778.tif 000008
【図７】
2005245778.tif 000009